(57)【特許請求の範囲】
【請求項１】
着用者の前後方向に対応する縦方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、
前記吸収性コアは、前記排泄部対向部における縦方向に直交する横方向の中央部に中高領域を有し、
前記中高領域は、吸収性コアにおける該中高領域の周辺領域の厚みよりも厚みが厚く、且つ該周辺領域の坪量よりも坪量が高く形成されており、
前記吸収性コアは、前記周辺領域の厚みよりも厚みが薄く、且つ該周辺領域の坪量よりも坪量が低い溝部を有し、
前記溝部は、前記中高領域を囲んで該中高領域及び前記周辺領域を分割する中高全周溝部と、該中高全周溝部における縦方向の前方端部から前記吸収性コアの縦方向に沿う両側部の前方部側に向かって延びる一対の前方溝部と、該中高全周溝部における縦方向の後方端部から前記吸収性コアの縦方向に沿う両側部の後方部側に向かって延びる一対の後方溝部とを有しており、
前記吸収性コアを平面視して、前記中高領域の縦方向の前後端部は、それぞれ、内方に向かって凹んでいる吸収性物品。
【請求項２】
前記中高全周溝部の溝幅は、前記前方溝部の溝幅及び前記後方溝部の溝幅よりも広い請求項１に記載の吸収性物品。
【請求項３】
前記吸収性コアの前記周辺領域は、前記中高全周溝部の縦方向の前方端部と前記一対の前方溝部とで囲まれた前方周辺領域、該中高全周溝部の縦方向の後方端部と前記一対の後方溝部とで囲まれた後方周辺領域、及び該中高全周溝部の縦方向に沿う側縁部と該前方溝部と該後方溝部とで囲まれた一対の側方周辺領域とを有し、
前記側方周辺領域は、その坪量が、前記前方周辺領域及び前記後方周辺領域の坪量よりも高い請求項１又は２に記載の吸収性物品。
【請求項４】
前記吸収性コアを平面視して、前記中高領域は、横方向に延びる中高溝部によって分割されており、
前記中高溝部は、前方部側に向かって凸に形成されている請求項１〜３の何れか１項に記載の吸収性物品。
【請求項５】
着用者の前後方向に対応する縦方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、
前記吸収性コアは、前記排泄部対向部における縦方向に直交する横方向の中央部に中高領域を有し、
前記中高領域は、吸収性コアにおける該中高領域の周辺領域の厚みよりも厚みが厚く、且つ該周辺領域の坪量よりも坪量が高く形成されており、
前記吸収性コアは、前記周辺領域の厚みよりも厚みが薄く、且つ該周辺領域の坪量よりも坪量が低い溝部を有し、
前記溝部は、前記中高領域を囲んで該中高領域及び前記周辺領域を分割する中高全周溝部と、該中高全周溝部における縦方向の前方端部から前記吸収性コアの縦方向に沿う両側部の前方部側に向かって延びる一対の前方溝部と、該中高全周溝部における縦方向の後方端部から前記吸収性コアの縦方向に沿う両側部の後方部側に向かって延びる一対の後方溝部とを有しており、
前記吸収性コアを平面視して、前記中高領域は、横方向に延びる中高溝部によって分割されており、
前記中高溝部は、前方部側に向かって凸に形成されている吸収性物品。
【発明の詳細な説明】
【技術分野】
【０００１】
本発明は、生理用ナプキン等の吸収性物品に関する。
【背景技術】
【０００２】
従来、就寝時に使用する夜用の生理用ナプキンのように、着用者の前後方向に沿う縦方向の長さが長い吸収性物品においては、着用者の肌との隙間があると、就寝姿勢において、液が肌の表面を伝って流れてしまい、液漏れにつながる場合があった。
【０００３】
そのため、本出願人は、吸収性物品の吸収体に部分的に厚みの厚い中高部を形成し、肌対向面に隆起部を形成させることによって、身体に対するフィット性を高めた吸収性物品を提案した（例えば特許文献１）。
【０００４】
また、本出願人は、折り曲げの基点となる溝状に窪んだ凹部を吸収性コアに形成して、身体に対するフィット性を高めた吸収性物品用の吸収体を提案した（例えば特許文献２）。
【０００５】
また、これらとは別の技術として、例えば、特許文献３には、表面側シートの幅方向の中央部分が身体側に向けて頂点となるように折れ曲がり長凸状領域が形成されて、全体として舟形形状となる陰唇間パッドが記載されている。
【先行技術文献】
【特許文献】
【０００６】
【特許文献１】特開２０１５−９７７１６号公報
【特許文献２】特開２０１２−１４３５３５号公報
【特許文献３】ＷＯ２００２／０９４１４５号公報
【発明の概要】
【発明が解決しようとする課題】
【０００７】
特許文献１に記載の吸収性物品では、就寝姿勢における両脚からの幅方向内側に向けた圧縮力によって、隆起部した中高部が折れ曲がる場合があり、やはり液漏れにつながる場合があり、更なる改良の余地があった。
【０００８】
また、特許文献２に記載の吸収性物品用の吸収体には、部分的に厚みの厚い中高部が配されていないので、就寝姿勢における両脚からの幅方向内側に向けた圧縮力によって吸収体が折れ曲がり易く、液漏れを防止することが難しく、更なる改良の余地があった。
【０００９】
また、特許文献３に記載の吸収性物品は、陰唇間パッドであり、生理用ナプキンに比べ非常に小さいものであり、単純に大きさを大きくしただけでは、就寝姿勢における両脚からの幅方向内側に向けた圧縮力によって吸収体が折れ曲がり易く、液漏れを防止することができない。また、部分的に厚みの厚い中高部が配されていないので、就寝姿勢における両脚からの幅方向内側に向けた圧縮力によって吸収性物品が折れ曲がり易く、液漏れを防止することができない。
【００１０】
したがって本発明の課題は、前述した従来技術が有する欠点を解消し得る吸収性物品を提供することにある。
【課題を解決するための手段】
【００１１】
本発明は、着用者の前後方向に対応する縦方向に長い形状の吸収性コアを備え、着用者の液排泄部に対向配置される排泄部対向部、該排泄部対向部より前方に配される前方部、及び該排泄部対向部より後方に配される後方部を有する吸収性物品であって、前記吸収性コアは、前記排泄部対向部における縦方向に直交する横方向の中央部に中高領域を有し、前記中高領域は、吸収性コアにおける該中高領域の周辺領域の厚みよりも厚みが厚く、且つ該周辺領域の坪量よりも坪量が高く形成されており、前記吸収性コアは、前記周辺領域の厚みよりも厚みが薄く、且つ該周辺領域の坪量よりも坪量が低い溝部を有し、前記溝部は、前記中高領域を囲んで該中高領域及び前記周辺領域を分割する中高全周溝部と、該中高全周溝部における縦方向の前方端部から前記吸収性コアの縦方向に沿う両側部の前方部側に向かって延びる一対の前方溝部と、該中高全周溝部における縦方向の後方端部から前記吸収性コアの縦方向に沿う両側部の後方部側に向かって延びる一対の後方溝部とを有している吸収性物品を提供するものである。
【発明の効果】
【００１２】
本発明によれば、就寝姿勢における両脚からの幅方向内側に向けた圧縮力によって、隆起部した中高部が折れ曲がり難く、身体に対するフィット性が維持でき、液漏れが発生し難い。
【図面の簡単な説明】
【００１３】
【図１】図１は、本発明の吸収性物品の好ましい第１実施形態である生理用ナプキンの着用状態を示す斜視図である。
【図２】図２は、図１に示す生理用ナプキンの肌対向面側（表面シート側）を示す平面図である。
【図３】図３は、図２のＩＩＩ−ＩＩＩ線断面を模式的に示す断面図である。
【図４】図４は、図１に示す生理用ナプキンの備える吸収性コアにおける肌対向面側の平面図である。
【図５】図５は、図４のＶ−Ｖ線断面を模式的に示す断面図である。
【図６】図６は、図４のＶＩ−ＶＩ線断面を模式的に示す断面図である。
【図７】図７（ａ）ないし図７（ｂ）は、図１に示す生理用ナプキンの備える吸収性コアの製造工程を説明する説明図である。
【図８】図８は、本発明の吸収性物品の好ましい第２実施形態である生理用ナプキンの備える吸収性コアにおける肌対向面側の平面図である（図４相当図）。
【図９】図９は、本発明の吸収性物品の好ましい第２実施形態である生理用ナプキンの肌対向面側（表面シート側）を示す平面図である（図２相当図）。
【発明を実施するための形態】
【００１４】
以下本発明を、その好ましい実施形態に基づき図面を参照しながら説明する。  本発明の吸収性物品の第１実施形態としての生理用ナプキン１Ａ（以下、単にナプキン１Ａともいう）は、特に就寝時の使用に適した夜用のナプキンである。ナプキン１Ａは全長が３０ｃｍ以上のものが好適である。ナプキン１Ａは、着用者の前後方向に対応する縦方向Ｘに長い形状の吸収性コア４１を備え、着用者の液排泄部に対向配置される排泄部対向部Ｂ、該排泄部対向部Ｂより前方に配される前方部Ａ、及び該排泄部対向部Ｂより後方に配される後方部Ｃを有している。
【００１５】
本明細書において、縦方向Ｘは、吸収性物品（ナプキン１Ａ）の長手方向に一致し、横方向Ｙは、吸収性物品（ナプキン１Ａ）の幅方向（長手方向に直交する方向）に一致している。ナプキン１Ａは、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１Ａ）又はその構成部材における、吸収性物品（ナプキン１Ａ）の着用時に着用者の肌側に向けられる面であり、非肌対向面は、吸収性物品（ナプキン１Ａ）又はその構成部材における、吸収性物品（ナプキン１Ａ）の着用時に肌側とは反対側（着衣側）に向けられる面である。
【００１６】
ナプキン１Ａは、着用時に着用者の液排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。即ち、ナプキン１Ａは、縦方向Ｘに、前方部Ａ、排泄部対向部Ｂ及び後方部Ｃの順番で区分される。
【００１７】
尚、本発明の吸収性物品において、排泄部対向部Ｂとは、本実施形態のナプキン１Ａのようにウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。また、排泄部対向部Ｂとは、吸収性物品がウイング部を有する場合には、吸収性物品の縦方向Ｘにおいてウイング部を有する領域（一方のウイング部の縦方向Ｘに沿う付け根と他方のウイング部の縦方向Ｘに沿う付け根とに挟まれた領域）を意味する。
【００１８】
本実施形態のナプキン１Ａは、図１及び図２に示すように、肌対向面を形成する液透過性の表面シート２、非肌対向面を形成する裏面シート３、及びこれら両シート２，３間に介在された吸収体４を具備している。
【００１９】
ナプキン１Ａでは、表面シート２は、図２及び図３に示すように、吸収体４の肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。一方、裏面シート３は、吸収体４の非肌対向面の全域を被覆し、吸収体４の縦方向Ｘの両端縁から縦方向Ｘ外方に延出すると共に、吸収体４の縦方向Ｘに沿う両側縁から横方向Ｙの外方に延出している。表面シート２と裏面シート３とは、吸収体４の全周縁からの延出部において、接着剤、ヒートシール、超音波シール等の公知の接合手段によって互いに接合されている。尚、表面シート２の肌対向面には、縦方向Ｘに沿う左右両側部に一対のサイドシート或いは一対以上の防漏カフを配置することができる。
【００２０】
ナプキン１Ａでは、吸収体４は、図３に示すように、吸水性ポリマーを有する吸収性コア４１と、該吸収性コア４１を包むコアラップシート４２とから構成されている。吸収性コア４１は、パルプ繊維等の繊維材料からなる繊維集合体に吸水性ポリマーを保持させたものからなる。吸収性コア４１は、上下両面を、ティッシュペーパーや透水性の不織布からなるコアラップシート４２によって被覆されている。コアラップシート４２は、吸収性コア４１の形成材料の漏れ出しを防止したり、吸収性コア４１の保形性を高めたりする目的で使用される。吸収性コア４１の肌対向面側を被覆するコアラップシート４２と表面シート２との間、及び吸収性コア４１の非肌対向面側を被覆するコアラップシート４２と裏面シート３との間は、ドット、スパイラル、ストライプ等のパターン塗工された接着剤により互いに接合されていることが好ましい。
【００２１】
ナプキン１Ａでは、吸収性コア４１は、図２〜図４に示すように、排泄部対向部Ｂにおける縦方向Ｘに直交する横方向Ｙの中央部に中高領域４３を有している。ナプキン１Ａでは、吸収性コア４１は、ナプキン１Ａの縦方向Ｘと同方向に長い形状を有する。したがって、吸収性コア４１の縦方向は、ナプキン１Ａの縦方向Ｘと同方向であり、吸収性コア４１の横方向は、ナプキン１Ａの横方向Ｙと同方向である。
【００２２】
ナプキン１Ａでは、中高領域４３は、図４〜図６に示すように、吸収性コア４１における該中高領域４３の周辺領域４４の厚みよりも厚みが厚く、且つ周辺領域４４の坪量よりも坪量が高く形成されている。ナプキン１Ａでは、中高領域４３は、横方向Ｙの中央部に配され、排泄部対向部Ｂの全域に亘って帯状に配されている。ナプキン１Ａでは、図４に示すように吸収性コア４１を平面視して、中高領域４３の縦方向Ｘの前後端部は、それぞれ、内方に向かって凹んでいる。
【００２３】
また、ナプキン１Ａでは、周辺領域４４は、中高領域４３を取り囲む、環状の領域であり、前方部Ａから後方部Ｃに亘って配されている。中高領域４３の厚み及び坪量は、中高領域４３における後述する中高溝部４３１が存在しない部分における厚み及び坪量を意味する。また、中高領域４３の厚み及び坪量と比較する吸収性コア４１の周辺領域４４の厚み及び坪量は、吸収性コア４１の周辺領域４４における後述する溝部４５が存在しない部分における厚み及び坪量を意味する。
【００２４】
ナプキン１Ａでは、中高領域４３の厚みは、ナプキン１Ａの肌対向面に、肌に向かって突出する隆起部１１（図１参照）を形成して排泄部対向部Ｂにおける液の吸収性等を向上させる観点から、吸収性コア４１の周辺領域４４の厚みの、好ましくは１１０％以上、より好ましくは１３０％以上、さらに好ましくは１５０％以上であり、そして、好ましくは２０００％以下、より好ましくは１０００％以下であり、さらに好ましくは、６００％以下であり、具体的には、好ましくは１１０％以上２０００％以下、より好ましくは１３０％以上１０００％以下、さらに好ましくは、１５０％以上６００％以下である。また、中高領域４３の厚みと吸収性コア４１の周辺領域４４の厚みとの厚みの差（前者−後者）は、好ましくは０．５ｍｍ以上、より好ましくは１．５ｍｍ以上であり、さらに好ましくは２．５ｍｍ以上であり、そして、好ましくは２５ｍｍ以下、より好ましくは１５ｍｍ以下であり、さらに好ましくは１０ｍｍ以下、具体的には、好ましくは０．５ｍｍ以上２５ｍｍ以下、より好ましくは１．５ｍｍ以上１５ｍｍ以下であり、さらに好ましくは、２．５ｍｍ以上１０ｍｍ以下である。尚、吸収性コア４１の各部における厚みは、非荷重下における吸収性物品の切断端面の写真から計測する。
【００２５】
ナプキン１Ａでは、中高領域４３の坪量は、ナプキン１Ａの肌対向面に、肌に向かって突出する隆起部１１（図１参照）を形成して排泄部対向部Ｂにおける液の吸収性等を向上させる観点から、吸収性コア４１の周辺領域４４の坪量（後述する、前方周辺領域４４Ａの坪量、後方周辺領域４４Ｃの坪量及び側方周辺領域４４Ｓの坪量の平均坪量）の、好ましくは１１０％以上、より好ましくは１３０％以上、さらに好ましくは１５０％以上であり、そして、好ましくは６００％以下、より好ましくは４００％以下、さらに好ましくは３００％以下である。具体的には、好ましくは１１０％以上６００％以下、より好ましくは１３０％以上４００％以下、さらに好ましくは１５０％以上３００％以下である。また、中高領域４３の坪量と吸収性コア４１の周辺領域４４の坪量との坪量の差（前者−後者）は、好ましくは２０ｇ／ｍ２以上、より好ましくは６０ｇ／ｍ２以上、さらに好ましくは１００ｇ／ｍ２以上であり、そして、好ましくは１０００ｇ／ｍ２以下、より好ましくは６００ｇ／ｍ２以下、さらに好ましくは、４００ｇ／ｍ２以下である。具体的には、好ましくは２０ｇ／ｍ２以上１０００ｇ／ｍ２以下、より好ましくは６０ｇ／ｍ２以上６００ｇ／ｍ２以下、さらに好ましくは１００ｇ／ｍ２以上４００ｇ／ｍ２以下である。尚、中高領域４３の坪量は、後述する中高溝部４３１が存在しない部分を切り出したサンプルの質量を、そのサンプルの肌対向面側の面の面積で除して求める。周辺領域４４の坪量の坪量は、後述する溝部４５が存在しない部分を切り出したサンプルの質量を、そのサンプルの肌対向面側の面の面積で除して求める。
【００２６】
ナプキン１Ａでは、吸収性コア４１は、図４〜図６に示すように、周辺領域４４の厚みよりも厚みが薄く、且つ周辺領域４４の坪量よりも坪量が低い溝部４５を有している。溝部４５の厚みは、ナプキン１Ａの肌対向面に、肌に向かって突出する隆起部１１（図１参照）を形成して排泄部対向部Ｂにおける液の吸収性等を向上させる観点と、吸収性コア４１の変形を容易にする観点から、吸収性コア４１の周辺領域４４の厚みの、好ましくは１０％以上、より好ましくは１３％以上、さらに好ましくは１５％以上であり、そして、好ましくは８０％以下、より好ましくは６０％以下、さらに好ましくは５０％以下であり、具体的には、好ましくは１０％以上８０％以下、より好ましくは１３％以上６０％以下、さらには１５％以上５０％以下である。また、吸収性コア４１の周辺領域４４の厚みと溝部４５の厚みとの厚みの差（前者−後者）は、好ましくは１ｍｍ以上、より好ましくは２ｍｍ以上、さらに好ましくは３ｍｍ以上であり、そして、好ましくは１０ｍｍ以下、より好ましくは８ｍｍ以下、さらに好ましくは６ｍｍ以下であり、具体的には、好ましくは１ｍｍ以上１０ｍｍ以下、より好ましくは２ｍｍ以上８ｍｍ以下、さらに好ましくは３ｍｍ以上６ｍｍ以下である。尚、吸収性コア４１の溝部４５における厚みは、非荷重下における吸収性物品の切断端面の写真から計測する。
【００２７】
ナプキン１Ａでは、溝部４５の坪量は、ナプキン１Ａの肌対向面に、肌に向かって突出する隆起部１１（図１参照）を形成して排泄部対向部Ｂにおける液の吸収性等を向上させる観点から、吸収性コア４１の周辺領域４４の坪量の、好ましくは１％以上、より好ましくは２％以上、さらに好ましくは４％以上であり、そして、好ましくは８０％以下、より好ましくは６０％以下、さらに好ましくは５０％以下であり、具体的には、好ましくは１％以上８０％以下、より好ましくは２％以上６０％以下、さらに好ましくは４％以上５０％以下である。また、吸収性コア４１の周辺領域４４の坪量と溝部４５の坪量との坪量の差（前者−後者）は、好ましくは３０ｇ／ｍ２以上、より好ましくは５０ｇ／ｍ２以上、さらに好ましくは１００ｇ／ｍ２以上であり、そして、好ましくは５００ｇ／ｍ２以下、より好ましくは４００ｇ／ｍ２以下、さらに好ましくは３００ｇ／ｍ２以下であり、具体的には、好ましくは３０ｇ／ｍ２以上５００ｇ／ｍ２以下、より好ましくは５０ｇ／ｍ２以上４００ｇ／ｍ２以下、さらに好ましくは１００ｇ／ｍ２以上３００ｇ／ｍ２以下である。尚、溝部４５の坪量は、該溝部４５の部分を切り出したサンプルの質量を、そのサンプルの肌対向面側の面の面積で除して求める。
【００２８】
ナプキン１Ａでは、溝部４５は、図４に示すように、中高領域４３を囲んで中高領域４３及び周辺領域４４を分割する中高全周溝部４５１と、中高全周溝部４５１における縦方向Ｘの前方端部から吸収性コア４１の縦方向Ｘに沿う両側部４１Ｓ，４１Ｓの前方部Ａ側に向かって延びる一対の前方溝部４５２，４５２と、中高全周溝部４５１における縦方向Ｘの後方端部から吸収性コア４１の縦方向Ｘに沿う両側部４１Ｓ，４１Ｓの後方部Ｃ側に向かって延びる一対の後方溝部４５３，４５３とを有している。このように、ナプキン１Ａでは、溝部４５は、中高全周溝部４５１、一対の前方溝部４５２，４５２、及び一対の後方溝部４５３，４５３を有している。
【００２９】
ナプキン１Ａでは、中高全周溝部４５１は、図４に示すように、中高領域４３の外周を囲む位置に配されている。上述したように、吸収性コア４１を平面視して、ナプキン１Ａの中高領域４３は、その縦方向Ｘの前後端部それぞれが内方に向かって凹んでいるので、ナプキン１Ａの中高全周溝部４５１は、中高領域４３の縦方向Ｘの前後端部に対応する部分が、それぞれ、内方に向かって凹んでいる。また、ナプキン１Ａの中高全周溝部４５１は、中高領域４３の縦方向Ｘに沿う両側部に対応する部分が、それぞれ、縦方向Ｘに平行に延びている。
【００３０】
ナプキン１Ａでは、一対の前方溝部４５２，４５２は、図４に示すように吸収性コア４１を平面視して、中高全周溝部４５１における縦方向Ｘの前方端部の両角部分から、それぞれ、吸収性コア４１の縦方向Ｘに沿う両側部４１Ｓ，４１Ｓの前方部Ａ側に向かって延びており、両側部４１Ｓ，４１Ｓの側縁にまで至っている。ナプキン１Ａでは、一対の前方溝部４５２，４５２同士の間隔が、前方部Ａ側に向かって漸次広くなるように形成されている。縦方向Ｘに延びる中心線ＣＬと一方の前方溝部４５２とのなす角α（図４参照）は、５°以上８０°以下であることが好ましく、７°以上７０°以下であることが更に好ましい。
【００３１】
ナプキン１Ａでは、一対の後方溝部４５３，４５３は、図４に示すように吸収性コア４１を平面視して、中高全周溝部４５１における縦方向Ｘの後方端部の両角部分から、それぞれ、吸収性コア４１の縦方向Ｘに沿う両側部４１Ｓ，４１Ｓの後方部Ｃ側に向かって延びており、両側部４１Ｓ，４１Ｓの側縁にまで至っている。ナプキン１Ａでは、一対の後方溝部４５３，４５３同士の間隔が、後方部Ｃ側に向かって漸次広くなるように形成されている。縦方向Ｘに延びる中心線ＣＬと一方の前方溝部４５２とのなす角β（図４参照）は、上述した縦方向Ｘに延びる中心線ＣＬと一方の前方溝部４５２とのなす角α（図４参照）よりも広いことが好ましく、具体的には、７°以上８５°以下であることが好ましく、１０°以上７５°以下であることが更に好ましい。
【００３２】
溝部４５の溝幅は、中高全周溝部４５１の溝幅、前方溝部４５２の溝幅及び後方溝部４５３の溝幅が均等に形成されていてもよいが、ナプキン１Ａでは、中高全周溝部４５１の溝幅を前方溝部４５２の溝幅より広くすることで、中高全周溝部４５１が前方溝部４５２より優先的に折れ曲がることになり、排泄部対向部Ｂにて肌に向かって突出する隆起部１１（図１参照）を形成し易くする観点から、中高全周溝部４５１の溝幅が、前方溝部４５２の溝幅及び後方溝部４５３の溝幅よりも広く形成されている。中高全周溝部４５１の溝幅は、同様の観点から、前方溝部４５２の溝幅或いは後方溝部４５３の溝幅の、好ましくは１００％超、より好ましくは１０５％以上、さらに好ましくは１２０％以上であり、そして、好ましくは１０００％以下、より好ましくは８００％以下、さらに好ましくは６００％以下であり、具体的には、好ましくは１００％超１０００％以下、より好ましくは１０５％以上８００％以下、さらに好ましくは１１０％以上６００％以下である。好適に、中高全周溝部４５１の溝幅は、好ましくは１ｍｍ以上、より好ましくは２ｍｍ以上、さらに好ましくは３ｍｍ以上であり、そして、好ましくは１０ｍｍ以下、より好ましくは８ｍｍ以下、さらに好ましくは６ｍｍ以下であり、具体的には、好ましくは１ｍｍ以上１０ｍｍ以下、より好ましくは２ｍｍ以上８ｍｍ以下、さらに好ましくは３ｍｍ以上６ｍｍ以下である。前方溝部４５２の溝幅或いは後方溝部４５３の溝幅は、好ましくは０．５ｍｍ以上、より好ましくは１．５ｍｍ以上、さらに好ましくは２．５ｍｍ以上であり、そして、好ましくは９ｍｍ以下、より好ましくは７ｍｍ以下、さらに好ましくは５ｍｍ以下であり、具体的には、好ましくは０．５ｍｍ以上９ｍｍ以下、より好ましくは１．５ｍｍ以上７ｍｍ以下、さらに好ましくは２．５ｍｍ以上５ｍｍ以下である。尚、溝部４５の溝幅は、溝部４５の延びる方向に直交する方向に切断し、切端面の写真から計測する。
【００３３】
また、ナプキン１Ａでは、周辺領域４４は、図４に示すように、中高全周溝部４５１の縦方向Ｘの前方端部と一対の前方溝部４５２，４５２とで囲まれた前方周辺領域４４Ａ、中高全周溝部４５１の縦方向Ｘの後方端部と一対の後方溝部４５３，４５３とで囲まれた後方周辺領域４４Ｃ、及び中高全周溝部４５１の縦方向Ｘに沿う側縁部と前方溝部４５２と後方溝部４５３とで囲まれた一対の側方周辺領域４４Ｓ，４４Ｓとを有している。
【００３４】
また、前方周辺領域４４Ａの坪量、後方周辺領域４４Ｃの坪量及び側方周辺領域４４Ｓの坪量が均等に形成されていてもよいが、ナプキン１Ａでは、ナプキン１Ａを中高全周溝部４５１、前方溝部４５２で折れやすくして、排泄部対向部Ｂにて肌に向かって突出する隆起部１１（図１参照）を形成し易くする観点と、ナプキン１Ａが就寝中に股間部による圧縮応力を受けた場合に、中高領域４３よりも周辺領域４４を先に変形させ、中高領域４３を変形しにくくする観点から、側方周辺領域４４Ｓは、その坪量が、前方周辺領域４４Ａの坪量及び後方周辺領域４４Ｃの坪量よりも高く形成されている。吸収性コア４１の側方周辺領域４４Ｓの坪量は、前方周辺領域４４Ａの坪量或いは後方周辺領域４４Ｃの坪量の、好ましくは１００超％、より好ましくは１１０％以上であり、さらに好ましくは、１５０％以上であり、そして、好ましくは６００％以下、より好ましくは４００％以下、さらに好ましくは３００％以下であり、具体的には、好ましくは１１０％以上６００％以下、より好ましくは１３０％以上４００％以下、さらに好ましくは１５０％以上３００％以下である。また、側方周辺領域４４Ｓの坪量と、前方周辺領域４４Ａの坪量或いは後方周辺領域４４Ｃの坪量との坪量の差（前者−後者）は、好ましくは２０ｇ／ｍ２以上、より好ましくは５０ｇ／ｍ２以上、さらに好ましくは１００ｇ／ｍ２以上であり、そして、好ましくは６００ｇ／ｍ２以下、より好ましくは３００ｇ／ｍ２以下、さらに好ましくは２００ｇ／ｍ２以下であり、具体的には、好ましくは２０ｇ／ｍ２以上６００ｇ／ｍ２以下、より好ましくは５０ｇ／ｍ２以上３００ｇ／ｍ２以下、さらに好ましくは１００ｇ／ｍ２以上２００ｇ／ｍ２以下である。
【００３５】
ナプキン１Ａでは、中高領域４３、周辺領域４４及び溝部４５を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００３６】
上述したナプキン１Ａの吸収性コア４１は、図７（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００３７】
また、図７（ａ）に示すように、１個の集積用凹部５５の底面５６の一部には、中高領域４３を形成するための1つの凹部５６ｂが形成されている。また、凹部５６ｂの周辺領域の底面５６には、溝部４５を形成するための難通気性部材５７が配置されている。難通気性部材５７は、中高全周溝部４５１、一対の前方溝部４５２，４５２及び一対の後方溝部４５３，４５３に対応する位置に配され、集積用凹部５５の底面５６から突出するように固定されている。難通気性部材５７は、非通気性部材であっても良く、例えば金属やプラスチック、セラミック等からなる。
【００３８】
積繊ドラムを備えた公知の積繊装置と同様に、集積用凹部５５の底面から吸引しつつ、ダクト内に、吸水性ポリマーとパルプ繊維とを混合したコア材料を供給することによって、図７（ｂ）に示すように、コア材料が集積用凹部５５内に所定形状に堆積する。その堆積物４０を、集積用凹部５５から離型することで、吸収性コア４１が得られる。吸収性コア４１は、コアラップシート４２で被覆する前又は被覆した後に、一対のロール間に通すこと等により加圧し適度に圧縮させる。これにより、凹部５６ｂに堆積した部分が、坪量及び密度が相対的に大きい中高領域４３となる。同様に、凹部５６ｂの周辺領域に堆積したコア材料からなる部分が、坪量及び密度が相対的に小さい周辺領域４４となり、凹部５６ｂの周辺領域の難通気性部材５７上に堆積したコア材料からなる部分が、周辺領域４４よりも坪量及び密度が相対的に小さい溝部４５となる。
【００３９】
上述した第１実施形態のナプキン１Ａの各構成部材の形成材料について説明する。
表面シート２及び裏面シート３としては、生理用ナプキン等の吸収性物品に従来使用されている各種のもの等を特に制限なく用いることができる。例えば、表面シート２としては、親水化処理が施された各種不織布や開孔フィルム等の液透過性のシートを用いることができる。また、裏面シート３としては、熱可塑性樹脂のフィルムや、該フィルムと不織布とのラミネート等の液透過性ないし撥水性のシートを用いることができる。裏面シート３は水蒸気透過性を有していてもよい。また、コアラップシート４２としては、湿式抄造法により製造した薄葉紙（ティッシュペーパー）や液透過性の不織布等を用いることができる。
【００４０】
上述した第１実施形態のナプキン１Ａの作用効果について説明する。
ナプキン１Ａは、図２〜図４に示すように、吸収性コア４１に、周辺領域４４よりも厚みが厚く且つ坪量が高い中高領域４３を有している。そして、中高領域４３及び周辺領域４４を分割すると共に周辺領域４４よりも坪量が低い溝部４５が、中高全周溝部４５１、一対の前方溝部４５２，４５２、及び一対の後方溝部４５３，４５３を有している。その為、図１に示すように、ナプキン１Ａの着用中に、中高領域４３が肌に向かって隆起して、排泄部対向部Ｂにて肌に向かって突出する隆起部１１が形成され易く、就寝姿勢における両脚からの幅方向内側に向けた圧縮力によって、隆起部した中高領域４３が折れ曲がり難くなっている。このように、ナプキン１Ａの着用中に隆起部１１によって身体に対するフィット性が維持でき、液漏れが発生し難い。前方溝部４５２が前方部Ａ側に広がっていることで、ナプキン１Ａが着用者の股間部から腹部によりフィットしやすくなる。また、後方溝部４５３が後方部Ｃ側に広がっていることで、ナプキン１Ａが着用者の股間部から尻部によりフィットしやすくなる。
【００４１】
また、ナプキン１Ａは、図２〜図４に示すように、吸収性コア４１の周辺領域４４が、前方周辺領域４４Ａ、後方周辺領域４４Ｃ及び一対の側方周辺領域４４Ｓ，４４Ｓを有し、側方周辺領域４４Ｓの坪量が、前方周辺領域４４Ａの坪量及び後方周辺領域４４Ｃの坪量よりも高く形成されている。その為、図１に示すように、ナプキン１Ａの着用中に、中高領域４３が肌に向かって隆起して、排泄部対向部Ｂにて肌に向かって突出する隆起部１１が更に形成され易くなっている。また、ナプキン１Ａは、図４に示すように吸収性コア４１を平面視して、中高領域４３の縦方向Ｘの前後端部が、それぞれ、内方に向かって凹んでいる。その為、図１に示すように、ナプキン１Ａの着用中に、中高領域４３が肌に向かって隆起して、排泄部対向部Ｂにて肌に向かって突出する隆起部１１が更に形成され易くなっている。また、中高領域４３の縦方向Ｘの前後端部が、それぞれ、内方に向かって凹んでいることで、側方周辺領域４４Ｓ、後方周辺領域４４Ｃが折れ曲がった時に、中高領域４３と側方周辺領域４４Ｓとの間、及び後方周辺領域４４Ｃと中高領域４３との間に圧縮が生じにくく、スムーズに折れ曲がることができる。
【００４２】
次に、本発明の第２実施形態としての生理用ナプキン１Ｂ（以下、単にナプキン１Ｂともいう）について説明する。ナプキン１Ｂについては、ナプキン１Ａと異なる点について主として説明し、同様の点については同一の符号を付して説明を省略する。特に言及しない点については、ナプキン１Ａに関する説明が適宜適用される。また、ナプキン１Ｂの効果については、ナプキン１Ａの効果と異なる点について説明し、特に説明しない点は、ナプキン１Ａの効果と同様であり、ナプキン１Ａの効果の説明が適宜適用される。
【００４３】
ナプキン１Ｂでは、図８に示すように吸収性コア４１を平面視して、中高領域４３は、横方向Ｙに延びる中高溝部４３１によって分割されており、中高溝部４３１は、前方部Ａ側に向かって凸に形成されている。好適には、中高領域４３は、複数の中高溝部４３１によって分割され、中高領域４３には縦方向Ｘに沿って並んだ複数の小吸収部４３２が形成されている。各中高溝部４３１は、前方部Ａ側に向かって凸に湾曲して形成されている。また、ナプキン１Ｂでは、図８に示すように吸収性コア４１を平面視して、中高領域４３の縦方向Ｘの前端部が、前方部Ａ側に向かって凸に形成され、中高領域４３の縦方向Ｘの後端部が、後方部Ｃ側に向かって凸に形成されている。
【００４４】
ナプキン１Ｂでは、図８に示すように吸収性コア４１を平面視して、ナプキン１Ｂの中高領域４３の縦方向Ｘの前後端部それぞれが吸収性コア４１の前後端部に向かって凸に形成されているので、ナプキン１Ｂの中高全周溝部４５１は、中高領域４３の縦方向Ｘの前後端部に対応する部分が、それぞれ、吸収性コア４１の前後端部に向かって凸に形成されている。
【００４５】
上述した図８に示す吸収性コア４１を有するナプキン１Ｂは、図９に示すように、該吸収性コア４１を含む吸収体４を、表面シート２と裏面シート３との間に介在させて形成されている。ナプキン１Ｂでは、図９に示すように、表面シート２の肌対向面に、表面シート２及び吸収体４が裏面シート３側に向かって一体的に凹陥してなる線状溝６が一対形成されている。線状溝６における「線状」とは、溝（凹陥部）の形状が平面視において直線に限られず、曲線を含んでいることを意味する。尚、各線は、連続線でも破線でもよい。線状溝６は、表面シート２及び吸収体４を裏面シート３側に向かって圧搾することによって形成されており、線状溝６を除く他の領域よりも密度が高くなっている。ナプキン１Ｂでは、各線状溝６は、溝部４５に対応して形成されており、ナプキン１Ｂでは、一方の線状溝６が、ナプキン１Ｂの中高全周溝部４５１における中高領域４３の縦方向Ｘに沿う一方の側部に対応する部分の横方向Ｙ外側に、該部分に沿って縦方向Ｘに延びている。また、ナプキン１Ｂでは、一方の線状溝６が、一方の前方溝部４５２及び一方の後方溝部４５３の横方向Ｙ外側に、一方の前方溝部４５２及び一方の後方溝部４５３に沿って縦方向Ｘに延びている。このように、一方の線状溝６が、一方の前方溝部４５２、中高全周溝部４５１における一方の側部に対応する部分、及び一方の後方溝部４５３に沿って、横方向Ｙ外側に配されている。同様に、他方の線状溝６が、他方の前方溝部４５２、中高全周溝部４５１における他方の側部に対応する部分、及び他方の後方溝部４５３に沿って、横方向Ｙ外側に配されている。このように、各線状溝６は、各側方周辺領域４４Ｓ内に形成されている。一対の線状溝６，６は、縦方向Ｘに延びる中心線ＣＬに対して左右対称に配されている。
【００４６】
線状溝６は、熱を伴うか又は伴わない圧搾加工（いわゆるエンボス加工）、あるいは超音波エンボス等のエンボス加工により常法に従って形成することができる。
【００４７】
第２実施形態のナプキン１Ｂにおいては、吸収性コア４１の中高領域４３が中高溝部４３１によって分割され、中高領域４３には縦方向Ｘに沿って並んだ複数の小吸収部４３２が形成されている。その為、ナプキン１Ｂの着用中に、中高領域４３が肌に向かって隆起して、排泄部対向部Ｂにて肌に向かって突出する隆起部１１が形成され易く、就寝姿勢における両脚からの幅方向内側に向けた圧縮力を受けたとしても、隆起部した中高領域４３の中高溝部４３１で緩衝でき、折れ曲がり難くなっている。このように、ナプキン１Ａの着用中に隆起部１１によって身体に対するフィット性が維持でき、液漏れが発生し難い。さらに、ナプキン１Ａは、腹部と尻部の形状によりフィットでき、且つ、就寝時における腹部と臀部方向の圧縮変形に対しても、圧縮応力を緩衝でき、フィット性を維持できる。
【００４８】
また、第２実施形態のナプキン１Ｂにおいては、各線状溝６が溝部４５に対応して形成されている。その為、各線状溝６を軸に折れ曲り易く、ナプキン１Ｂの着用中に、中高領域４３が肌に向かって隆起して、排泄部対向部Ｂにて肌に向かって突出する隆起部１１が更に形成され易くなっている。さらに、両脚からの幅方向内側に向けた圧縮力を受けたとしても、各線状溝６が中高領域４３を圧縮から守ることができる。
【００４９】
以上、本発明をその好ましい実施形態に基づき説明したが、本発明の吸収性物品は第１実施形態のナプキン１Ａ及び第２実施形態のナプキン１Ｂに何ら制限されるものではなく、適宜変更可能である。
【００５０】
例えば、ナプキン１Ａ及びナプキン１Ｂは、図２に示すように、排泄部対向部Ｂにのみ中高領域４３を有しているが、中高領域４３に加えて、後方部Ｃにも中高領域を有していてもよい。
また、本発明の吸収性物品は、生理用ナプキンの他、パンティーライナー（おりものシート）、失禁パッド等であってもよい。
【符号の説明】
【００５１】
１Ａ，１Ｂ  生理用ナプキン（吸収性物品）
１１  隆起部
２  表面シート
３  裏面シート
４  吸収体
４１  吸収性コア
４２  コアラップシート
４３  中高領域
４３１  中高溝部
４３２  小吸収部
４４  周辺領域
４４Ａ  前方周辺領域
４４Ｃ  後方周辺領域
４４Ｓ  側方周辺領域
４５  溝部
４５１  中高全周溝部
４５２  前方溝部
４５３  後方溝部
【図１】
0006646441.tif 000002
【図２】
0006646441.tif 000003
【図３】
0006646441.tif 000004
【図４】
0006646441.tif 000005
【図５】
0006646441.tif 000006
【図６】
0006646441.tif 000007
【図７】
0006646441.tif 000008
【図８】
0006646441.tif 000009
【図９】
0006646441.tif 000010